(57)【要約】【課題】有機ＥＬ素子などの発光素子を用いた複数の照明器具を利用する場合において、効率良く低コストで駆動電源を供給することができ、かつ多彩な照明制御を可能にすることができる給電装置を提供すること。【解決手段】交流電源からの電力供給を受けて、直流電源に出力変換する単一の直流供給電源１と、前記直流供給電源からの直流電源の供給を受けて、それぞれ発光駆動される固体発光素子（有機ＥＬ素子）を光源とする複数の照明器具８と、前記複数の照明器具を対象にして調光を制御するための制御信号を生成する単一の主コントローラ２と、前記１つもしくは複数の照明器具を単位として、前記単位ごとの照明器具に対応して設けられ、前記主コントローラから送られる制御信号に基づいて前記単位ごとの照明器具の調光をそれぞれ制御する従コントローラ８とが具備される。【選択図】図１
2009266804.tif 000002
【特許請求の範囲】
【請求項１】
単一の直流供給電源からの電流供給を受けて、それぞれ発光駆動される固体発光素子を光源とする複数の照明器具もしくは照明器具を構成する複数の固体発光素子と、
前記複数の照明器具もしくは複数の固体発光素子を対象にして調光を制御するための制御信号を生成する単一の主コントローラと、
前記１つまたは複数の照明器具、もしくは１つまたは複数の固体発光素子を単位として、前記単位ごとの照明器具もしくは固体発光素子に対応して設けられ、前記主コントローラから送られる制御信号に基づいて前記単位ごとの照明器具もしくは固体発光素子の調光をそれぞれ制御する従コントローラと、
が具備されていることを特徴とする照明器具の給電装置。
【請求項２】
前記従コントローラは、個別に調光操作を受けて当該従コントローラに対応して配置された前記照明器具もしくは前記固体発光素子の調光制御を、前記主コントローラからの制御信号に基づく調光制御に優先して実行されるように構成されていることを特徴とする請求項１に記載された照明器具の給電装置。
【請求項３】
前記直流供給電源より供給される直流電源を伝送する給電線と、前記主コントローラからの制御信号を伝送する信号線とが、前記単位ごとの照明器具に対応して設けられた従コントローラごとに、１つのアウトレットを介してそれぞれ接続されていることを特徴とする請求項１または請求項２に記載された照明器具の給電装置。
【請求項４】
建築物の部屋単位で、少なくとも１つの前記アウトレットが配置されていることを特徴とする請求項３に記載された照明器具の給電装置。
【請求項５】
前記主コントローラは、外光の度合いに応じて前記各従コントローラに対して、調光を制御するための前記制御信号を送出する動作が実行されるように構成されていることを特徴とする請求項１ないし請求項４のいずれか１項に記載された照明器具の給電装置。
【請求項６】
前記固体発光素子として、有機ＥＬ素子もしくはＬＥＤを用いたことを特徴とする請求項１ないし請求項５のいずれか１項に記載された照明器具の給電装置。
【発明の詳細な説明】
【技術分野】
【０００１】
この発明は、直流電源により点灯駆動される例えば有機ＥＬ（Ｅｌｅｃｔｒｏ  Ｌｕｍｉｎｅｓｃｅｎｃｅ）素子や、ＬＥＤ（Ｌｉｇｈｔ  Ｅｍｉｔｔｉｎｇ  Ｄｉｏｄｅ）などの固体発光素子を照明用光源として用いる場合において、好適に採用することができる照明器具の給電装置に関する。
【背景技術】
【０００２】
従来より屋内（室内）において使用される照明装置は、一般的に蛍光灯に代表される単一または複数の照明用光源が各部屋毎に設置され、また各部屋毎にスイッチを介して商用電源が供給できるように構成されている。前記した蛍光灯を用いた照明装置は周知のとおり現状において広く普及し、蛍光管の形態も直管からサークル管などの多様化が図られると共に、演色性の改良も加えられるなど、長い歴史を支えてきている。
【０００３】
一方、昨今においては駆動源として低電圧の直流電源を用いることで、高輝度ならびに効率の高い発光特性を得ることができる有機ＥＬ素子の開発が進んでいる。この有機ＥＬ素子は軽量かつ薄型化が可能であることから、一部の携帯型機器などにおいてフラットパネルディスプレイ（ＦＰＤ）として利用されている。
【０００４】
また、有機ＥＬ素子は発光機能層に用いる素材の選択により、種々の発光色を得ることができ、したがって各発光色を単独で、または二種以上の発光色を組み合わせることにより、任意の発光色を得ることも可能となる。それ故、有機ＥＬ素子を比較的広い面積を有する面発光体（発光パネル）として構成することで、例えば宣伝広告用の発光ポスター、電飾用光源の他、室内や車内等を照明する高効率な光源として利用することができる。
【０００５】
一方、前記したＬＥＤも低電圧の直流電源により駆動されることで高い発光効率を呈し、用いる素材の選択により各種の発光色を得ることができる。加えて、ＬＥＤは高寿命かつ安定した発光特性を得ることができることから、屋外で用いられる例えば信号機や大型のディスプレイ、通信分野における電気ー光変換手段など、広範囲な分野において利用されており、さらに室内外の照明装置などへの応用も期待できる。
【０００６】
なお、前記した有機ＥＬ素子およびＬＥＤを照明用光源として利用しようとする特許出願はすでに多数なされており、一例として前者の有機ＥＬ素子を用いるものとして特許文献１を、また後者のＬＥＤを用いるものとして特許文献２を挙げることができる。
【先行技術文献】
【特許文献】
【０００７】
【特許文献１】特開２００７−２２７０９４号公報
【特許文献２】特開２００７−００５００３号公報
【発明の概要】
【発明が解決しようとする課題】
【０００８】
ところで、前記した有機ＥＬ素子またはＬＥＤなどの固体発光素子は、駆動源として前記したとおり低電圧の直流電源が用いられるので、これらを室内照明などに用いようとする場合においては、照明装置ごとに商用電源よりそれぞれ低電圧の直流電源を生成する直流供給電源（ＡＣ／ＤＣ変換器）が必要となる。このように例えば各部屋に設置された照明器具ごとに前記した直流供給電源を具備させた構成によると、非効率的でありコスト高になるという問題を抱えることになる。
【０００９】
また、前記した有機ＥＬ素子またはＬＥＤなどの固体発光素子をそれぞれ複数用意し、これらを組み合わせて１つの照明器具を形成する場合もある。このような照明器具においても、これを構成する複数の固体発光素子ごとに低電圧の直流電源が用いられるので、前記と同様な問題を抱えることになる。
【００１０】
この発明は、前記した問題点に着目してなされたものであり、有機ＥＬ素子またはＬＥＤなどの固体発光素子を住宅もしくは事務所などの屋内（室内）における照明装置の光源として利用する場合において、また前記した複数の固体発光素子を組み合わせて１つの照明器具を形成する場合において、効率良く低コストで駆動電源を供給することができ、かつ多彩な照明制御を可能にすることができる照明器具の給電装置を提供することを課題とするものである。
【課題を解決するための手段】
【００１１】
前記した課題を解決するためになされたこの発明にかかる照明器具の給電装置は、単一の直流供給電源からの電流供給を受けて、それぞれ発光駆動される固体発光素子を光源とする複数の照明器具もしくは照明器具を構成する複数の固体発光素子と、前記複数の照明器具もしくは複数の固体発光素子を対象にして調光を制御するための制御信号を生成する単一の主コントローラと、前記１つまたは複数の照明器具、もしくは１つまたは複数の固体発光素子を単位として、前記単位ごとの照明器具もしくは固体発光素子に対応して設けられ、前記主コントローラから送られる制御信号に基づいて前記単位ごとの照明器具もしくは固体発光素子の調光をそれぞれ制御する従コントローラとが具備されている点に特徴を有する。
【００１２】
この場合、前記従コントローラは、個別に調光操作を受けて当該従コントローラに対応して配置された前記照明器具もしくは前記固体発光素子の調光制御を、前記主コントローラからの制御信号に基づく調光制御に優先して実行されるように構成されていることが望ましい。
【００１３】
そして、好ましい実施の形態においては、前記直流供給電源より供給される直流電源を伝送する給電線と、前記主コントローラからの制御信号を伝送する信号線とが、前記単位ごとの照明器具に対応して設けられた従コントローラごとに、１つのアウトレットを介してそれぞれ接続されるようになされる。これに加えて、好ましくは建築物の部屋単位で、少なくとも１つの前記アウトレットが配置された構成にされる。
【００１４】
一方、前記主コントローラは、外光の度合いに応じて前記各従コントローラに対して、調光を制御するための前記制御信号を送出する動作が実行されるように構成されていることが望ましい。加えて好ましくは前記各照明器具における光源として、有機ＥＬ素子もしくはＬＥＤを用いた構成にされる。
【発明の効果】
【００１５】
前記した構成よる照明器具の給電装置によると、固体発光素子を光源とする複数の照明器具は、単一の直流供給電源からの直流電源の供給を受けてそれぞれ発光駆動されるように構成されるので、照明器具ごとに直流供給電源を具備させる構成に比較して、非効率ならびにコスト高になるという問題を解消することができる。
【００１６】
同様に複数の固体発光素子を組み合わせて１つの照明器具を構成する場合においても、単一の直流供給電源からの直流電源の供給を受けてそれぞれ発光駆動されるように構成されるので、同様に非効率ならびにコスト高になるという問題を解消することができる。
【００１７】
また、１つもしくは複数の照明器具を単位として、主コントローラから送られる制御信号に基づいて調光制御を行う従コントローラを備えた構成としたので、全体の照明器具の調光を一括して制御することが可能となる。したがって、外向に応じて各照明器具の調光を一括して実行することが可能であり、例えば昼夜に応じて適切な調光を実現させることができる。
【００１８】
さらに、前記従コントローラは、個別に調光操作を受けて当該従コントローラに対応して配置された前記照明器具の調光制御を、前記主コントローラからの制御信号に基づく調光制御に優先して実行されるように構成させることで、必要に応じて個々の照明器具における調光操作を個別に実行することが可能となる。
【図面の簡単な説明】
【００１９】
【図１】この発明にかかる給電装置の第１の実施の形態を示したブロック図である。
【図２】図１に示す主コントローラから従コントローラに送られる制御信号の例を示したフォーマット図である。
【図３】図１に示す従コントローラによってなされるＰＷＭによる調光制御の例を示したタイミング図である。
【図４】ＰＷＭによる調光制御において好適に用いられる補正テーブルの設定例を示した線図である。
【図５】この発明にかかる給電装置の第２の実施の形態において好適に使用される照明器具の構成を示した正面図、およびパネルケースとハブケースの前面を除いた状態の正面図である。
【図６】同じくパネルケースのみを示した斜視図である。
【図７】照明器具に用いられる発光素子としての有機ＥＬ素子の基本構成を説明する模式図である。
【図８】第２の実施の形態における調光制御装置の例を説明する回路ブロック図である。
【図９】ハブケースに収容された電源モジュールの構成例を示した回路ブロック図である。
【図１０】照明器具を階段に設置した状態を示す側面図である。
【図１１】同じく階段に設置した状態を示す正面図である。
【図１２】この発明にかかる給電装置の第３実施の形態において好適に使用される照明器具の構成を示した斜視図である。
【図１３】同じく斜め下方から視た状態の斜視図である。
【図１４】同じくサブパネルの一枚を上方にはね上げた状態を示す斜視図である。
【図１５】メインパネルに対してサブパネルを点回動できるように支持した照明器具の他の構成例を示した斜視図である。
【図１６】この発明にかかる給電装置の第４実施の形態において好適に使用される照明器具の構成を示した斜視図である。
【図１７】同じく底面図である。
【図１８】平板状の各フレームをユニット化した例を示す正面図である。
【図１９】ユニット化した各フレームに対する面発光体の装着例を説明する模式図である。
【発明を実施するための形態】
【００２０】
以下、この発明にかかる照明器具の給電装置について、図に示す実施の形態に基づいて説明する。まず図１〜図４はこの発明にかかる給電装置の第１の実施の形態を示したものである。図１は第１の実施の形態の全体構成をブロック図により示したものであり、これは例えば１つの家屋を例にし、鎖線で示す各部屋に配置された照明器具に対して、１つの直流供給電源からそれぞれ給電する構成を示している。
【００２１】
図１に示すように、この給電装置には交流電源（ＡＣ商用電源）からの電力供給を受けて、直流電源に出力変換する単一の直流供給電源１が備えられている。この直流供給電源１には、その直流出力を給電する一対の給電線１ａ，１ｂが接続され、この給電線１ａ，１ｂは鎖線で示す各部屋Ａ，Ｂ，Ｃを経由するようにして敷設されている。
【００２２】
また、この給電装置には後述する各部屋の照明器具を対象にして調光制御等を実行するための制御信号を生成する単一の主コントローラ２が備えられている。前記主コントローラ２には、マスタ操作盤３からの操作指令が入力できるように構成されると共に、例えば外光を検出する照度計４の計測データ、および必要に応じて撮像カメラ５からの撮像データも入力されるように構成されている。
【００２３】
前記主コントローラ２からは信号線２ａが導出されており、この信号線２ａは前記した一対の給電線１ａ，１ｂと共に、鎖線で示す各部屋Ａ，Ｂ，Ｃを経由するようにして敷設されている。なお、前記主コントローラ２は前記直流供給電源１に隣接する場所に配置されるか、一体に構成されている場合もある。
【００２４】
一方、各部屋Ａ，Ｂ，Ｃを経由するようにして敷設された給電線１ａ，１ｂおよび信号線２ａは、各部屋Ａ，Ｂ，Ｃの適宜の位置に臨むように配置されたアウトレット６Ａ，６Ｂ，６Ｃを介して各室内に導出されている。なお、図１においてはＡ室に敷設された給電装置の例についてブロック図で示しているが、他のＢ室およびＣ室についてもほぼ同様になされ、その記載は省略している。
【００２５】
前記Ａ室を例として示すように、給電線１ａ，１ｂを経由する直流電源は、アウトレット６Ａを介して従コントローラ７に供給され、当該従コントローラ７において調光制御されて照明器具８に給電されるように構成されている。固体発光素子による照明器具８として、例えば有機ＥＬ素子を利用したものが採用され、この有機ＥＬ素子はその用途に応じて、単一のパネルもしくは複数のパネルを直列または並列に接続した構成のものが採用される。
【００２６】
また、前記信号線２ａを経由する主コントローラ２からの制御信号も、アウトレット６Ａおよびターミナルアダプタ９を介して前記従コントローラ７に供給されるように構成されている。すなわち、前記ターミナルアダプタ９は前記した主コントローラ２からの制御信号を受けて、従コントローラ７を制御することで照明器具８の調光動作等を実行させるものであり、その作用については後で説明する。
【００２７】
また、前記従コントローラ７には手動操作端末１０からの制御信号も供給されるように構成されており、この手動操作端末１０における入力操作に基づいて部屋単位もしくは照明器具８の単位で、従コントローラ７に対して調光制御等の指令が入力されるように作用する。なお、前記手動操作端末１０は、リモコン操作部１１からの操作信号を受けて、従コントローラ７に対して同様の指令制御を行うことができるようにも構成されている。
【００２８】
図２は前記した主コントローラ２から信号線２ａおよびターミナルアダプタ９を介して従コントローラ７に送られる制御信号のフォーマットの例を示すものである。この例においては、主コントローラ２から送出された制御信号に同期して、主コントローラ２と各室の従コントローラ７との間で時分割多重伝送方式で制御信号（データ）が授受されるようになされる。すなわち、各室の従コントローラ７には個別にアドレスが設定され、主コントローラ２は前記アドレスを用いて従コントローラ７を識別するように動作する。
【００２９】
図２に示すＳＹは信号の送出開始を示す同期信号であり、ＭＹは伝送する制御信号の形態を示すモードデータ、ＡＤは前記ターミナルアダプタ９とこれに接続された従コントローラ７とを個別に呼び出すアドレスデータ、ＬＤは前記アドレスに対応した従コントローラ７に対して調光指示を行う調光データ、ＣＳは伝送誤りを検出するチェックサムデータ、ＷＴは必要に応じてターミナルアダプタ９とこれに接続された従コントローラ７の監視データを返信させる返送期間を設定するタイムスロットである。
【００３０】
前記したように時間的に直列に配列された一連のデータは、アドレスデータを順次変えつつ主コントローラ２から各従コントローラ７に向かって繰り返し送られる。そして、アドレスが一致した従コントローラ７は、主コントローラ２からの前記調光データＬＤ等を受け取り、これに基づいて照明器具８における調光制御等が個別に実行される。
【００３１】
したがって、図１に示す構成においては、マスタ操作盤３により各室の照明器具８における調光制御の度合いを個別に主コントローラ２に入力することができ、この入力指令に基づいて主コントローラ２から送出される図２に示す信号フォーマットにより、各室の照明器具８を個別に調光制御することができる。
【００３２】
また、主コントローラ２には前記したとおり、外光を検出する照度計４からの計測データが供給されるように構成されているので、昼夜に応じて調光データを適切に制御し、消灯を含む調光制御等を個別に実行させることが可能となる。
【００３３】
一方、各部屋の照明器具８に対応して配置されたリモコン操作部１１を含む手動操作端末１０は、これに対応した照明器具８を個別に調光制御することができる。この場合の調光制御においても、図２に示した信号フォーマットを利用することができる。そして、手動操作端末１０による調光制御が、前記した主コントローラ２からの制御信号に基づく調光制御に優先して実行されるように構成されている。したがって、在室中においては主コントローラ２からの制御信号にかかわらず、手動操作端末１０により調光制御を実現させることができる。
【００３４】
図３は前記した従コントローラ７によってなされる調光制御の基本例を示したものであり、この図３に示す例においては、ＰＷＭにより調光制御を実現させる一例を示している。図３（Ａ）は、ＰＷＭのデューティサイクルを決定する同期信号であり、これは例えば図２に基づいて説明した同期信号ＳＹに基づいて生成されてもよい。そして図３（Ａ）に示す１サイクルの期間を、図３（Ｂ）に示すように例えば１６ステップに分割し、調光制御のデータに基づいて、ステップ数により点灯期間を設定するように制御される。
【００３５】
すなわち、図３（Ｃ）は１６ステップのうち、“０”〜“５”の６ステップの期間において照明器具の発光素子を構成する前記した有機ＥＬ素子に直流駆動電圧を印加する状態を示している。したがって、点灯期間を設定する前記ステップ数が大きいほど、照明器具は明るく（高輝度）に発光することになる。
【００３６】
なお、人間の視感度は低輝度の範囲において輝度変化の識別能力が大きく現れるので、例えば図４に示すようにステップ数が小さな範囲においては、ＰＷＭのデューティー比の変化が少なく、ステップ数が大きくなるほどＰＷＭのデューティー比の変化が大きくなる補正テーブルを利用し、補正した前記ステップ数に基づいてＰＷＭのデューティー比を決定するように動作させることが望ましい。
【００３７】
なお、以上説明した実施の形態においては、１つの照明器具８に対して従コントローラ７が具備された構成を示しているが、これは１つもしくは複数の照明器具を単位として、前記単位ごとに従コントローラが具備される構成にされていてもよい。また前記した照明器具８を構成する固体発光素子として、有機ＥＬ素子を用いた例を示しているが、これはＬＥＤもしくは直流電源により発光駆動される他の素子を利用しても、前記した発明の効果の欄に記載した作用効果を得ることができる。
【００３８】
また、前記した実施の形態においては、コントローラ２からの調光制御等を実行するための制御信号が信号線２ａを介して従コントローラ７に供給されるように構成されているが、前記信号線２ａを介さずにワイヤレス伝送手段を利用することができる。この場合においては、コントローラ２側にワイヤレス送信手段が、また従コントローラ７側にワイヤレス受信手段を配置することになる。
【００３９】
さらに前記した実施の形態においては、交流電源（ＡＣ商用電源）からの電力供給を受けて直流電源に出力変換する単一の直流供給電源が用いられているが、これは直流電源からの電力供給を受けて、これを前記した有機ＥＬ素子等が駆動できる直流電源に電圧変換する単一の直流供給電源を用いても良い。
【００４０】
次に図５〜図１１は、この発明にかかる給電装置の第２の実施の形態を示したものであり、これは複数の照明器具を対象にして調光を制御するための制御信号を生成する単一の主コントローラと、複数の照明器具を単位として、前記単位ごとの照明器具に対応して設けられ、前記主コントローラから送られる制御信号に基づいて前記単位ごとの照明器具の調光をそれぞれ制御する従コントローラとが備えられた例を示している。
【００４１】
図５（Ａ）に示す照明器具２０は、長尺状に形成されたパネルケース２１の一方の端部に、ハブケース２２が着脱可能に取り付けられ、またパネルケース２１の他方の端部に終端ケース２３が着脱可能に取り付けられた状態が示されている。なお図５（Ａ）において矢印Ｃ１で示す部分で前記パネルケース２１とハブケース２２が着脱できるように構成され、また矢印Ｃ２で示す部分で前記パネルケース２１と終端ケース２３が着脱できるように構成されている。
【００４２】
前記パネルケース２１の前面には矩形状の窓孔２４が形成されており、ケース２１内に配置された固体発光素子としての有機ＥＬ素子２５からの発光が、窓孔２４を介して照明光として出射されるように構成されている。なお、符号２６は有機ＥＬ素子２５において生ずる熱を放熱するために有機ＥＬ素子２５に多数形成したスリット状の通気孔を示している。
【００４３】
図５（Ｂ）は、前記パネルケース２１、ハブケース２２、終端ケース２３における前面側のパネルを取り外した状態で示したものである。前記パネルケース２１内には、略全面を占めるようにして短冊状に形成された有機ＥＬ素子２５が配置されている。そして、パネルケース２１の一方の端部には前記ハブケース２２を着脱可能に接続するコネクタ２７が配置され、パネルケース２１の他方の端部には前記終端ケース２３を着脱可能に接続するコネクタ２８が配置されている。そして、前記ハブケース２２内には後述する電源モジュール２９を構成する回路素子等が搭載された回路基板が配置されている。
【００４４】
図５に示す状態においては、パネルケース２１の前記した他方の端部に終端ケース２３が着脱可能に取り付けられているが、これは後述するように、パネルケース２１に対して同一構成のパネルケース２１を前記コネクタ２７，２８を利用して順次直列状態に複数本接続することができる。前記終端ケース２３は直列接続された最後のパネルケース２１の端部に接続することで、各パネルケース２１を経由する後述する伝送信号を折り返えす機能を果たし、これにより電気的にも機械的にも終端であることが定義づけされる。
【００４５】
図６は前記パネルケース２１のみの外観構成を斜視図で示したものであり、パネルケース２１の一方の端部に形成された前記コネクタ２７は、雄型コネクタを構成しており、またパネルケース２１の他方の端部に形成された前記コネクタ２８は、雌型コネクタを構成している。
【００４６】
このようにパネルケース１の一方の端部に雄型コネクタ２７を、他方の端部に雌型コネクタ２８を設けたことで、前記したとおりパネルケース２１を順次直列状態に複数本接続することができ、同時にハブケース２２内の電源モジュール２９との電気的な接続を達成することができる。なお、図示していないが、前記パネルケース２１内には後段に接続されるパネルケース内の有機ＥＬ装置に対して順次駆動電源を供給するための給電線、ならびに電源モジュール２９からの伝送信号を伝達する信号線が収容されている。
【００４７】
図７は、前記した固体発光素子としての有機ＥＬ素子２５の基本的な構成例を示したものであり、図においては有機ＥＬ素子を構成する各層を、層方向に分離した状態で示している。すなわち、この種の有機ＥＬ素子は、透明な素材による素子形成基板２５ａの片面に、まず、第１電極となる例えばＩＴＯによる透明電極２５ｂ形成される。
【００４８】
また、前記透明電極２５ｂに重畳されるようにして有機物質からなる発光機能層２５ｃが成膜される。この発光機能層２５ｃは、有機発光層の単一層、あるいは有機正孔輸送層と有機発光層からなる二層構造、または有機正孔輸送層と有機発光層および有機電子輸送層からなる三層構造、さらにこれらの適切な層間に電子もしくは正孔の注入層を挿入した多層構造になされる場合もある。なお、図７においてはこれらを一層の状態で符号２５ｃとして示している。
【００４９】
また、前記発光機能層２５ｃ上にはアルミニウム等の素材を主体とした金属製の背面電極２５ｄが第２電極として形成される。さらに前記背面電極２５ｄ上には、封止部材２５ｅが装着され、この封止部材２５ｅによって、前記した透明電極２５ｂ、発光機能層２５ｃ、背面電極２５ｄよりなる有機ＥＬ素子２５が前記基板２５ａとの間で封止された構成にされている。
【００５０】
そして、前記透明電極２５ｂと背面電極２５ｄとの間には直流電源Ｅ１が加えられる。これにより、発光機能層２５ｃにおいて発生する光は、前記透明電極２５ｂおよび透明基板２５ａを透過し、これを照明光として利用することができる。なお、有機ＥＬ素子の発光を照明に利用する場合においては、一般的にその発光色は白色（昼光色）が好ましいが、有機ＥＬ素子は前記発光機能層２５ｃの材料を選択することにより種々の発光色をもたらすことができる。
【００５１】
次に図８は、前記したパネルケース２１、ハブケース２２、終端ケース２３を用いて照明器具の給電装置を構成した例を示している。この図８に示す例においては、パネルケース２１の両端に具備された前記コネクタ２７，２８を利用し、ハブケース２２を頭にして複数のパネルケース２１を順次直列状態に接続し、最後に終端ケース２３を接続した構成を示している。そして、前記の構成を組として、これを複数組備えた例を示している。
【００５２】
前記各ハブケース２２に収容された前記した電源モジュール２９には信号線３１がそれぞれカスケード接続されると共に、給電線３２も同様に接続されている。そして、給電線３２には直流供給電源３３からの駆動電源が給電線３２を介して各ハブケース２２に収容された電源モジュール２９にそれぞれ供給されるように構成されている。
【００５３】
なお、前記直流供給電源３３は、例えば交流電源（ＡＣ商用電源）からの電力供給を受けて直流電源に出力変換する構成にされているが、これは直流電源からの電力供給を受けて、これを前記した有機ＥＬ素子等が駆動できる直流電源に出力変換する直流供給電源であっても良い。
【００５４】
また、前記信号線３１は、マスタ操作盤３４からの指令を受けたマイクロプロセッサからなる主コントローラ３５により生成される調光制御信号を、各ハブケース２２に収容された前記電源モジュール２９にそれぞれ供給するようになされる。
【００５５】
図９は、ハブケース２２内に収容された電源モジュール２９の構成例をブロック図で示したものである。この電源モジュール２９には前記した信号線３１がカスケード接続されるためのコネクタ４１，４２が備えられており、また前記した給電線３２を介して直流供給電源３３からの出力を受けるコネクタ４３が備えられている。
【００５６】
符号４４で示すブロックは、コネクタ４１，４２に接続された通信インターフェースモジュールであり、このインターフェースモジュール４４を介してシステム制御モジュール４５が接続されている。このシステム制御モジュール４５には、電源モジュール２９が収容された前記ハブケース２２に接続されるパネルケース２１（有機ＥＬ素子２５）ごとに、独立した調光制御を行うための例えば８ｂｉｔのＤＳＰ−ＳＷを備えている。
【００５７】
前記システム制御モジュール４５には、調光制御モジュール４６が接続されており、この調光制御モジュール４６は、前記したシステム制御モジュール４５からの調光制御データに基づいて、パネルケース２１（有機ＥＬ素子２５）に対する調光制御ドライバ４７に調光（発光）制御信号を供給するように構成されている。そして、調光制御ドライバ４７からの駆動電源出力はコネクタ４８を介して、ハブケース２１を頭にして直列接続された各パネルケース２１に供給され、各パネルケース２１内の有機ＥＬ素子２５を点灯駆動するように動作する。
【００５８】
図１０および図１１は、図９に示した照明器具とその給電装置を階段の照明に利用した例を示したものであり、図１０は階段を側面から見た状態を、また図１１は階段を正面から見た状態で示している。この例においては、前記した電源モジュール２９が収容されているハブケース２２を頭にして複数のパネルケース２１が順次直列状態に接続され、最後に終端ケース２３を接続した組（なお、図１０においてはパネルケースと同一の符号２１のみで示している。）が、階段に垂直に配置された蹴込板５１に個々に取り付けられている。これにより、それぞれの段板５２の踏み面を照明することができる階段の照明器具が実現される。
【００５９】
前記した階段の照明器具においては、通常においては図８に示すマスタ操作盤３４によって適切な照度となるように制御することができるが、例えばイベント会場のように華やかな雰囲気を醸し出すような場合においては、階段ごとに点滅させたり、直列接続した複数のパネルケース２１ごとに様々な調光制御を行わせる等の多彩な利用方法が採用される。
【００６０】
これは図８に示すマスタ操作盤３４からの指令を受けたマイクロプロセッサからなる主コントローラ３５により生成される調光制御信号が、信号線３１を介して前記各ハブケース２２内の電源モジュール２９に供給される。電源モジュール２９は、主コントローラ３５から受ける調光制御信号に基づいて、この電源モジュール２９に接続された各パネルケース２１内の有機ＥＬ素子２５を発光制御し、前記した動作をもたらすことができる。
【００６１】
以上のとおり、図５〜図１１に示した実施の形態においては、前記ハブケース２２が、前記した図１に示すアウトレット６Ａ〜６Ｃに相当し、ハブケース２２内に収容された電源モジュール２９は、図１に示すターミナルアダプタ９および従コントローラ７と同様の機能を発揮する。
【００６２】
なお、以上説明した実施の形態においては、パネルケース内に収容される面発光体として、有機ＥＬ素子を用いた例を示しているが、これ以外に、前記したＬＥＤなどの固体発光素子を利用することも可能である。
【００６３】
図１２〜図１５は、この発明にかかる給電装置の第３の実施の形態を示したものであり、これは固体発光素子として複数の有機ＥＬ素子を用い、これら複数の有機ＥＬ素子により１つの照明器具を形成して、各有機ＥＬ素子の調光制御を実行する例を示している。
【００６４】
図１２は発光素子として有機ＥＬ素子を用いたメインパネルに対して各サブパネルを水平に展開した状態の照明器具を斜め上方から視た斜視図であり、図１３は同じく斜め下方から視た斜視図である。また図１４はサブパネルの一枚を上方にはね上げた状態を示したものであり、図１５はメインパネルに対してサブパネルを点回動できるように支持した例を示している。
【００６５】
図１２および図１３に示すように、この照明器具は中央に矩形状のメインパネル６１が備えられ、そのメインパネル６１の下面には矩形状の面発光部６１ａが、メインパネル６１に対して額縁状に取り付けられている。
【００６６】
また前記メインパネル６１の四辺に沿って矩形状のサブパネル６２，６３，６４，６５がそれぞれ連結部６６を介して回動可能に取り付けられている。そして、この実施の形態においては、図１３に示されたように前記各サブパネル６２〜６５の下面には、矩形状の面発光部６２ａ，６３ａ，６４ａ，６５ａがそれぞれ額縁状に取り付けられている。
【００６７】
前記メインパネル６１および各サブパネル６２〜６５は、それぞれ正方形状に形成され、かつ互いにほぼ同一寸法となるように構成されている。またメインパネル６１および各サブパネル６２〜６５に備えられた各面発光部６１ａ〜６５ａにおいてもそれぞれ正方形状に形成され、かつ互いにほぼ同一寸法となるように構成されている。なおこの実施の形態においては、前記各面発光部は、前記したとおり有機ＥＬ素子により構成されている。
【００６８】
前記メインパネル６１に対して各サブパネル６２〜６５を回動可能に支持する連結部６６は、それぞれ同一構成のヒンジにより構成されており、これにより前記メインパネル６１に対して各サブパネル６２〜６５は、例えば図１４に示したようにそれぞれ独立して約１８０度の範囲で辺回動させることができる。そして、各サブパネルは辺回動された位置において、その姿勢が維持されるように前記各ヒンジは回動動作に適度な抵抗を持つように構成されている。
【００６９】
中央に位置する前記メインパネル６１は、周側が矩形状にして高さ方向が薄く（偏平状に）形成されたケース６７の下底部に取り付けられており、このケース６７内には、前記各面発光部６１ａ〜６５ａを構成する有機ＥＬ素子に対して調光制御した駆動電流を供給する図示せぬ調光制御部、並びにリモコン受光部等が収容されている。
【００７０】
この調光制御部には、例えば図１に示した各部屋Ａ〜Ｃにそれぞれ設置される設備と同様の構成が具備されている。これにより、各面発光部６１ａ〜６５ａを構成する各有機ＥＬ素子は、図１に示す主コントローラ２からの調光制御信号に基づいて、個別に調光制御を受け、多彩な点灯制御がなされる。
【００７１】
また、前記ケース６７内における前記リモコン受光部は、図１に示した例と同様に、リモコン操作部１１からの操作信号を受けて、従コントローラ７に対して調光制御を行うことができるようになされており、リモコン操作部１１からの操作信号を受けた場合には、各面発光部６１ａ〜６５ａを構成する各有機ＥＬ素子は、このリモコン操作信号が優先されて調光制御がなされるように動作する。
【００７２】
この場合、リモコン操作部１１によって従コントローラ７が受ける調光制御のデータは、信号線２ａを介して図１に示す主コントローラ２に送られるように構成され、マスタ操作盤３より主コントローラ２に入力された調光データを、前記リモコン操作部１１によって指示された調光データに書き替えるように構成されることが望ましい。このように構成することで、前記した照明器具を消灯し、再点灯させた場合において、最後の前記リモコン操作部１１による調光制御が反映された点灯状態にすることができる。
【００７３】
なお、前記ケース６７の上面中央には照明器具の全体を支持する支持部材、すなわち天井からの吊り下げ用パイプ６８が取り付けられている。そして吊り下げ用パイプ６８が吊り下げられる天井部分において、図１に示すアウトレット６Ａ〜６Ｃと同様に機能する分岐設備が配置され、前記ケース６７内に、給電線１ａ，１ｂおよび信号線２ａに相当する各線が導入されるように構成されている。
【００７４】
前記ケース６７に収容された調光制御部より、各ヒンジ部６８をそれぞれ経由させて図示せぬ給電線が配設され、この給電線を介して前記各サブパネル６２〜６５における有機ＥＬ素子による面発光部６２ａ〜６５ａに対して駆動電流が供給されるように構成されている。この場合、望ましくは前記各ヒンジの支軸に例えば中空軸を用い、この中空軸内に前記電流供給線を挿通させるような構成が採用される。
【００７５】
前記した構成の照明器具によると、前記した連結部６６としてのヒンジを利用して各サブパネル６２〜６５の設定角度を自由に変更することができる。加えて例えばリモコン操作により、メインパネルおよびサブパネルにおける各面発光部を独立して点灯制御させることができる。
【００７６】
なお図１５は、この発明において利用される照明器具の他の形態を示したものである。この図１５に示す形態においては、メインパネル６１に対するサブパネル６２〜６５の連結部６９は、点回動できるようにボールジョイントにより構成されている。前記したボールジョイントの構成によると、サブパネルの自由端側を上下方向のみならず、左右方向および回転方向にも回動させることができる。
【００７７】
次に図１６〜図１９は、この発明にかかる給電装置の第４の実施の形態を示したものであり、これは固体発光素子として複数の有機ＥＬ素子を用い、これら複数の有機ＥＬ素子により１つの照明器具を形成して、各有機ＥＬ素子の調光制御を実行する例を示している。
【００７８】
この例に示す照明器具７１は、天井吊り下げ型を構成しており、図１６に示したように天井面（図示せず）に一端が取り付けられた三本のワイヤー７９によって吊り下げられる。そして図１７に平面図で示したとおり、第１〜第３の口径の発光部が、同心円状に連結されることにより構成されており、符号７２は最内周における第１口径の発光部を構成する平板状のフレームの１つを示している。
【００７９】
また符号７３は前記した第１口径の発光部の外側に形成された第２口径の発光部を構成する平板状のフレームの１つを示しており、さらに符号７４は前記した第２口径の発光部のさらに外側に形成された第３口径の発光部を構成する平板状のフレームの１つを示している。
【００８０】
前記第１〜第３の口径の発光部を構成するそれぞれのフレームの外形形状は、ほぼ正方形になされており、第１〜第３口径の発光部においては、同一数である１２個のフレームがそれぞれ用いられている。したがって最内周である第１口径の発光部を構成するフレーム７２は、その外形形状が最小になされ、第２および第３口径の発光部を構成する各フレーム７３，７４はその外形形状は順次大きくなるように成形されている。
【００８１】
また、第１口径の発光部を構成するそれぞれのフレーム７２は、対向する隅角部同士が環状に連結されることにより、前記第１口径の発光部が形成されている。また第２口径の発光部を構成するそれぞれのフレーム７３は、対向する隅角部同士が同じく環状に連結されることにより、前記第２口径の発光部が形成され、かつこれらフレーム７３は、第１口径の発光部を形成する前記各フレーム７２の周囲に外接するようにして、対向するフレーム７２，７３の隅角部においてそれぞれ連結されている。
【００８２】
さらに、第３口径の発光部を構成するそれぞれのフレーム７４は、対向する隅角部同士が同じく環状に連結されることにより、前記第３口径の発光部が形成され、かつこれらフレーム７４は、第２口径の発光部を形成する前記各フレーム７３の周囲に外接するようにして、対向するフレーム７３，７４の隅角部においてそれぞれ連結されている。
【００８３】
そして、前記各口径の発光部を構成する各フレーム７２，７３，７４における後述する面発光体７５，７６，７７側が、ドーム状を形成するように構成されている。すなわち、図１６に示すように照明器具７１を吊り下げた場合に、照明器具の中央部側が下側に向かって緩やかに突出する形態になされている。なお、図１７に示す符号７８は、図１６に示した三本のワイヤー７９の取り付け部を示している。
【００８４】
図１８および図１９は、前記した各フレーム７２〜７４に対する面発光体７５〜７７の装着例を説明するものである。この実施の形態においては図１８に示すように、前記した第１〜第３口径の発光部を形成する各１つのフレーム７２〜７４の連結体により１ユニットが構成されている。すなわち図１８に示す連結体を１２ユニット用意し、これらを環状に連結することにより、図１６および図１７に示した形態の照明器具が形成されることになる。
【００８５】
図１８に示すように、１ユニットを構成する各フレーム７２〜７４には、ステンレスプレートが用いられ、これに例えばヘアーライン加工等の装飾加工が施されている。そして各フレーム７２〜７４には、それぞれにほぼ正方形に形成された窓孔７２ａ〜７４ａが形成され、その裏面より有機ＥＬ素子７５〜７７の発光面が、前記窓孔７２ａ〜７４ａに臨むようにして取り付けられている。これにより、前記ＥＬ素子５〜７７の発光面が各窓孔７２ａ〜７４ａにおいて額縁を形成するようにして取り付けられている。
【００８６】
図１８に示すＡ−Ａ線において切断した状態の前記１ユニットの断面図が図１９にＢとして示されている。図１９にＢとして示したように第１口径の発光部を形成するフレーム７２を基準にして、第２口径の発光部を形成するフレーム７３は、１５度前後屈曲されており、また第３口径の発光部を形成するフレーム７４は、さらに同方向に１５度前後屈曲されている。これにより、前記したとおり、各フレーム７２〜７４におけるＥＬ素子７５〜７７側が、ドーム状を形成するように構成されている。
【００８７】
なお、図１９には各フレーム７２〜７４と、その裏面に装着されるＥＬ素子７５〜７７との関係が示されている。第１〜第３口径の発光部を構成するそれぞれのＥＬ素子７５〜７７は、前記したとおり大小３６で構成されており、したがって各口径毎に点灯させたり、１つの口径の発光部においても間欠的に点灯させるなど、点滅動作も加えて多彩な点灯動作を実現することができる。
【００８８】
前記した点滅動作も加えた多彩な点灯動作は、例えば図８において説明した給電装置を利用して実現させることができる。この場合、図８に示すハブケース２２と、これに収容された前記電源モジュール２９に変わるものとして、第２口径の発光部を形成するフレーム７３の裏面に制御基板８０が配置されている。そして制御基板８０は、１ユニットを構成する各フレーム７２〜７４に配置されたＥＬ素子７５〜７７の調光制御を実行するように動作する。
【００８９】
したがって、この実施の形態においては、各ユニットの第２口径の発光部を形成するフレーム７３の裏面に制御基板８０がそれぞれ配置されている。そして各制御基板８０には図８に示した例と同様に、主コントローラ３５より信号線３１がそれぞれカスケード接続されると共に、直流供給電源３３より給電線３２も同様に接続されている。
【００９０】
また、図１６〜図１９に示す実施の形態においては、前記したいずれか１つの制御基板８０に図示せぬリモコン信号の受光部を配置することが望ましい。この場合においては、前記リモコン受光部において受けた信号は、制御基板８０内において処理され、各フレーム７２〜７４に配置されたＥＬ素子７５〜７７は、リモコン操作信号が優先されて調光制御がなされるように動作する。
【００９１】
この場合においても、前記リモコン操作によって前記制御基板８０内の処理回路が受ける調光制御のデータは、例えば図８に示す信号線３１を介して主コントローラ３５に送られるように構成され、マスタ操作盤３４より主コントローラ３５に入力された調光データを、前記リモコン操作によって指示された調光データに書き替えるように構成されることが望ましい。このように構成することで、前記した照明器具を消灯し、再点灯させた場合において、最後のリモコン操作による調光制御が反映された点灯状態にすることができる。
【符号の説明】
【００９２】
１              直流供給電源
１ａ，１ｂ      給電線
２              主コントローラ
２ａ            信号線
３              マスタ操作盤
４              照度計
５              撮像カメラ
６Ａ〜６Ｃ      アウトレット
７              従コントローラ
８              照明器具
９              ターミナルアダプタ
１０            手動操作端末
１１            リモコン操作部
２０            照明器具
２１            パネルケース
２２            ハブケース
２３            終端ケース
２５            面発光体（有機ＥＬ素子）
２７，２８      コネクタ
２９            電源モジュール
３１            信号線
３２            給電線
３３            直流供給電源
３４            マスタ操作盤
３５            主コントローラ
５１            蹴込板
５２            段板
６１            メインパネル
６２〜６５      サブパネル
６１ａ〜６５ａ  面発光部
６６            連結部（ヒンジ）
６７            ケース
６８            支持部材（吊り下げ用パイプ）
７１            照明器具
７２〜７４      フレーム
７２ａ〜７４ａ  窓孔
７５〜７７      面発光体（有機ＥＬ素子）
７９            吊り下げ用ワイヤー
８０            制御基板
Ａ〜Ｃ          建築物の各部屋
【図１】
2009266804.tif 000003
【図２】
2009266804.tif 000004
【図３】
2009266804.tif 000005
【図４】
2009266804.tif 000006
【図５】
2009266804.tif 000007
【図６】
2009266804.tif 000008
【図７】
2009266804.tif 000009
【図８】
2009266804.tif 000010
【図９】
2009266804.tif 000011
【図１０】
2009266804.tif 000012
【図１１】
2009266804.tif 000013
【図１２】
2009266804.tif 000014
【図１３】
2009266804.tif 000015
【図１４】
2009266804.tif 000016
【図１５】
2009266804.tif 000017
【図１６】
2009266804.tif 000018
【図１７】
2009266804.tif 000019
【図１８】
2009266804.tif 000020
【図１９】
2009266804.tif 000021